(57)【要約】【課題】従来の中聖牛は、使用する材料が木材であるため、濁流に耐えられる安定性と施工性も良い頑丈なものである中聖牛においても、やはりそこには限度があり、より大きい安定性と耐久性が求められている。【解決手段】複数のコンクリート製擬木を用い、それらを交差させた連結部分を面接触する構造とした上、当該連結部分をボルトとナットで連結して重心を低くした所定の形状に組み立てることにより、従来の木材と蛇籠を組み合わせた中聖牛における蛇籠を不要としたことを特徴とするコンクリート製擬木を用いた中聖牛。【選択図】          図１
2004204584.tif 000002
【特許請求の範囲】
【請求項１】
複数のコンクリート製擬木を用い、それらを交差させた連結部分を面接触する構造とした上、当該連結部分をボルトとナットで連結して重心を低くした所定の形状に組み立てることにより、従来の木材と蛇籠を組み合わせた中聖牛における蛇籠を不要としたことを特徴とするコンクリート製擬木を用いた中聖牛。
【請求項２】
複数のコンクリート製擬木が交差する連結部分に、平滑面あるいは皿型の凹部を設けることで組立ての際の連結位置が明確になり、確実な締め付けと迅速な施工をできるようにした請求項１に記載のコンクリート製擬木を用いた中聖牛。
【請求項３】
複数のコンクリート製擬木を交差させた連結部分をボルトとナットで連結して重心を低くした所定の形状が、全体形状の下部に多くのコンクリート製擬木を配置したり、下部に位置するコンクリート製擬木を重くしてなる請求項１または２に記載のコンクリート製擬木を用いた中聖牛。
【請求項４】
連結部分を締め付けるボルトとナットが、ステンレスである請求項１ないし３のいずれかに記載のコンクリート製擬木を用いた中聖牛。
【発明の詳細な説明】
【０００１】
【発明の属する技術分野】
古来からの伝統的な工法である木材を組上げて蛇籠を重しにした中聖牛を改良し、濁流に耐えられる安定性と施工性も良い頑丈な中聖牛を木材に似せたコンクリート製擬木で製作し、河川の治水施設とするコンクリート製擬木を用いた中聖牛に関する。
【０００２】
【従来の技術】
古来からの伝統的な工法である聖牛は、実施された河川によって多少構造材の大きさを異にするが、三角錐をなし、三対の合掌木を備え、棟木の長さにより「大聖牛」、「中聖牛」などの名がある。「地方凡例録」によれば、これは武田信玄の創案になるものと云われ、従時は専ら山梨県の釜無川、笛吹川に施工されたが、信玄の勢力圏拡大に伴って次第に天竜川、大井川、安倍川、富士川に伝わり、享保年間以後は各地に流布するに至った。この聖牛は牛枠の改良されたもので、その構造は簡単であり、堅牢な三角錐型を採るため、前面の洗掘を受けて前に傾斜してもよくその形、目的を達している。一般に急流河川の砂礫の激しい所の水制、締切工事などに適している工法である。
【０００３】
Ａ）構造 （図４参照）
聖牛は川倉をさらに補強したもので、基本的構造は以下のとおりである。
１）一対の前合掌木と砂払いで三角形をつくる。
２）棟木をこれに連結し立ち上げ基本の三角錐をつくる。
３）前立木を前合掌木と砂払いに連結する。
４）桁木を河心側が下になるように棟木に連結し、その上に前梁木を連結する。
５）梁木の位置を確認し、後・中合掌木を連結した後、後・中梁木を連結する。
６）敷成木を梁木に連結し、その上に蛇籠を重し籠として載せるとともに、後部に尻籠を置く。
【０００４】
そして、聖牛の種類は以下の通り。
（中聖牛）  
三対の合掌木を備え、一般に棟木の長さ7.3m、末口12cmのもの
（大聖牛）  
三対の合掌木を備え、一般に棟木の長さ9.0m、末口15〜18cmのもの
（大大聖牛）
四対の合掌木を備え、一般に棟木の長さ12.7m、末口20cmのもので、二段の棚を設けて重籠を積載するもの。
【０００５】
Ｂ）用途
その用途は、急流河川において土木が流送される場所の水制、根固、破提箇所の締切りなどである。
【０００６】
【発明の解決しようとする課題】
上記の各聖牛は、使用する材料が木材であるため、濁流に耐えられる安定性と施工性も良い頑丈なものである中聖牛においても、やはりそこには限度があり、より大きい安定性と耐久性が求められている。
【０００７】
【課題を解決するための手段】
そこでこの発明のコンクリート製擬木を用いた中聖牛は、複数のコンクリート製擬木を用い、それらを交差させた連結部分を面接触する構造とした上、当該連結部分をボルトとナットで連結して重心を低くした所定の形状に組み立てることにより、従来の木材と蛇籠を組み合わせた中聖牛における蛇籠を不要としたことを特徴とするものである。
【０００８】
この発明のコンクリート製擬木を用いた中聖牛は、上記複数のコンクリート製擬木が交差する連結部分に、平滑面あるいは皿型の凹部を設けることで組立ての際の連結位置が明確になり、確実な締め付けと迅速な施工をできるようにしたことをも特徴としている。
【０００９】
この発明のコンクリート製擬木を用いた中聖牛は、上記複数のコンクリート製擬木を交差させた連結部分をボルトとナットで連結して重心を低くした所定の形状が、全体形状の下部に多くのコンクリート製擬木を配置したり、下部に位置するコンクリート製擬木を重くしたことをも特徴とするものである。
【００１０】
この発明のコンクリート製擬木を用いた中聖牛は、上記連結部分を締め付けるボルトとナットが、ステンレスであることをも特徴とするものである。
【００１１】
【発明の実施の形態】
以下この発明のコンクリート製擬木を用いた中聖牛の実施の形態を、図面に基いて詳細に説明する。
図１はこの発明のコンクリート製擬木を用いた中聖牛に使用されるコンクリート製擬木の１実施例を示し、（ａ）はその端面図、（ｂ）はその部分斜視図、図２は組付け状態の要部を示す正面図、図３（ａ）、（ｂ）はそれぞれその方向を変えて見た場合の側面図である。
【００１２】
図１ないし図３に示すように、この発明のコンクリート製擬木を用いた中聖牛に使用されるコンクリート製擬木は、木製と比べ重量感と強さに富んだ素材である。そして、断面が円柱状のコンクリート製擬木１の側面に平面部２をもうけ、各コンクリート製擬木１の締め付けによる連結部分３を安定させている。
【００１３】
図では連結部分３に平面部２を設けた構造を例示したが、互いに連結可能な凹部と凸部の組み合わせなど、コンクリート製擬木の強度を保てる範囲内で種々の連結構造を採用することができる。
【００１４】
各部材１が交差する連結部分３の繋ぎは、望ましくはステンレス製の錆びないボルト４とナット５で締め付けて緊結する。このように素材をステンレス製とすることにより、長期間に亘って錆びることがなく、非常に耐久性に富んだ中聖牛を得ることができる。
【００１５】
この発明では、従来の中聖牛における木材と蛇籠の重量をコンクリート製擬木１に置き換えたものであり、土石流が衝突しても重心を低く抑えているので川底へコンクリート製擬木１の下端が喰い込み、中聖牛を安定させて、流れの瀬を戻して堤防を守るようになっている。
【００１６】
特に、この発明のコンクリート製擬木を用いた中聖牛においては、上記複数のコンクリート製擬木１を交差させた連結部分３をボルト４とナット５で連結した中聖牛の重心を低くしている。そして中聖牛の重心を低くするための構造として、全体形状の下部に多めのコンクリート製擬木を配置したり、中聖牛の下部に位置するコンクリート製擬木１を太くあるいはコンクリート製擬木１の配筋数を多くしている。
【００１７】
もちろん、コンクリート製擬木１の太さ等を買えた場合でも、連結部分３のサイズや構造は共通のものとしておくことが望ましい。
【００１８】
【発明の効果】
この発明によれば、使用する材料がコンクリート製擬木であるため、濁流に耐えられる安定性と耐久性を持つ頑丈な中聖牛であり、しかも施工性も非常に良好なコンクリート製擬木を用いた中聖牛を提供することができるようになった。
すなわち、コンクリート製擬木で重心を低くした構造を採用することにより、安定性を高めた中聖牛を得ることができ、濁流等にも耐えられる耐久性に富んだ中聖牛が提供できるようになったのである。
【００１９】
また、蛇籠を不要としたので蛇籠を製作したり、中聖牛内に配置する作業が不必要となって施工性が大幅に向上したことはもちろん、蛇籠が壊れて川底の構造を変えてしまったり、鉄線等で河川を汚染したりするおそれがなくなった。
【００２０】
しかも、増水時に流れてきた流木の根や草木が蛇籠へからみつくことがなく、増水後の平静時も護岸の景観を損ねることがない。
【図面の簡単な説明】
【図１】この発明のコンクリート製擬木を用いた中聖牛に使用されるコンクリート製擬木の１実施例を示し、（ａ）はその端面図、（ｂ）はその部分斜視図である。
【図２】組付け状態の要部を示す正面図である。
【図３】（ａ）、（ｂ）はそれぞれその方向を変えて見た場合の側面図である。
【図４】従来の中聖牛を示す斜視図である。
【符号の説明】
１  コンクリート製擬木
２  平面部
３  連結部分
４  ボルト
５  ナット
【図１】
2004204584.tif 000003
【図２】
2004204584.tif 000004
【図３】
2004204584.tif 000005
【図４】
2004204584.tif 000006